(57)【特許請求の範囲】
【請求項１】
カラオケ楽曲を選曲予約する際の楽曲検索において、検索結果を所定の条件に従って優先的に表示するためのシステムであって、楽曲索引データベースと、楽曲検索手段と、演奏履歴管理手段と、優先表示順位付け手段と、検索結果表示制御手段と、を備え、
前記楽曲索引データベースは、演奏対象となる各カラオケ楽曲について、それぞれ複数の属性情報を関連付けて構成し、
前記楽曲検索手段は、前記楽曲索引データベースを参照して、入力された検索条件となる属性情報に該当するカラオケ楽曲を検索し、
前記演奏履歴管理手段は、既に演奏された所定曲数のカラオケ楽曲の演奏履歴情報を演奏履歴管理データベースにて管理し、
前記優先表示順位付け手段は、前記演奏履歴情報として管理されたカラオケ楽曲の属性情報毎の演奏頻度を求め、当該属性情報毎の演奏頻度に基づいて優先表示条件となる各属性情報の順位付けを行い、
前記検索結果表示制御手段は、前記順位付けにおいて第１順位となった属性情報を優先表示条件として、前記楽曲検索手段における検索結果の中から該当するカラオケ楽曲を優先的に表示する、
ことを特徴とする楽曲検索結果表示システム。
【請求項２】
前記検索結果表示制御手段は、前記楽曲検索手段における検索条件と、前記優先表示条件とが一致した場合には、当該優先表示条件とされた属性情報の次順位の属性情報を優先表示条件とする、
ことを特徴とする請求項１に記載の楽曲検索結果表示システム。
【発明の詳細な説明】
【技術分野】
【０００１】
本発明は、カラオケ楽曲を選曲予約する際の楽曲検索において、検索結果を所定の条件に従って優先的に表示するための楽曲検索結果表示システムに関するものである。
【背景技術】
【０００２】
現在普及しているカラオケシステムでは、カラオケリモコン装置が備える楽曲検索機能を用いて、歌手名、楽曲名、流行年代、音楽ジャンル等の検索条件を入力することにより、歌唱を所望するカラオケ楽曲を検索することができるようになっている。検索結果はカラオケリモコン装置の表示画面にリスト表示され、表示された楽曲の中から目的の楽曲を指定することにより、演奏予約を行うことができる。
【０００３】
一般的な検索結果表示では、検索条件に合致した楽曲情報（楽曲名、歌手名等）が５０音順に表示される。このため、多数の楽曲が検索条件に合致して抽出された場合には、表示画面１ページに収まらないため、目的とする楽曲が見つかるまでページ送り動作を繰り返さなければならず、楽曲検索に手間と時間が掛かるという不都合があった。
【０００４】
そこで、このような不都合を解消するための技術が種々提案されている（特許文献１、特許文献２参照）。特許文献１に記載された技術は、利用者が所望する楽曲をカラオケ演奏装置へリクエストする際に、楽曲検索エンジンを備えたカラオケリモコン装置を用いて、より一層容易かつ迅速に、目的とする楽曲コードを特定できるようにした技術である。この検索結果表示システムは、楽曲データベースに対する任意の検索条件に基づき、ヒットした楽曲情報を一覧表示する際に、演奏頻度ないし予約頻度の高い楽曲が含まれていた場合、これを降順にソートして優先的に検索結果の一覧表示の冒頭部分に表示させる。
【０００５】
また、特許文献２に記載された技術は、楽曲検索用のデータベースにおいて、各楽曲データについて曲番号、曲名、歌手名に加えて、優先度として演奏回数や重み付け情報が記載されている。重み付けは、例えば、よく歌われる曲や新曲の数値を高く設定した情報であり、配信センタから定期的に受信するようになっている。カラオケ演奏装置は、ユーザが曲名等のキーワードを入力すると、このキーワードで楽曲検索用のデータベースを検索し、検索結果を優先度に応じた順でソートして出力する。
【先行技術文献】
【特許文献】
【０００６】
【特許文献１】特開２００５−１０７２５９号公報
【特許文献２】特開２０１１−１９７３４５号公報
【発明の概要】
【発明が解決しようとする課題】
【０００７】
上述した従来の技術のように、予約頻度や演奏頻度の高い楽曲を優先的な表示条件として検索結果を表示することにより、より一層容易かつ迅速に、目的とする楽曲を探し出すことができることは確かである。しかし、従来の技術で優先的な表示条件としている予約頻度や演奏頻度は、ただ単に予約回数や演奏回数が多いことを基準として定められており、これだけでは、利用者の嗜好を的確に反映した優先表示条件であるとは言い難かった。
【０００８】
例えば、利用者の嗜好は、時勢に合わせて時々刻々と変化しており、ただ単に予約回数や演奏回数が多いことを基準として検索結果をソート表示したとしても、利用者の利便性を高めることができない場合がある。また、利用者の嗜好は、日中に利用されるカラオケボックスや、飲酒を伴いながら歌唱を行う、いわゆるナイト店等のような店舗形態の相違、利用客の年齢や職業等のような利用者層の相違、地域の相違等、種々の要因により異なるのは明らかである。この場合に、一般的かつ平均的な優先表示条件に従って検索結果をソート表示したとしても、利用者の利便性を高めることができない。
【０００９】
なお、上述した特許文献２に記載された技術は、検索結果表示の優先度を、演奏回数及び楽曲データの特徴（カラオケＢＯＸ向けの曲、ラウンジ向けの曲、新曲等）を示す項目毎に重み付けをした情報とし、演奏回数と各項目の重み付けを合算した値でソートしている。しかし、特許文献２に記載された技術では、既に演奏された所定曲数のカラオケ楽曲について、属性情報に基づくきめ細かな優先表示条件を設定しておらず、大ざっぱに、年配向け、若者向け、ＢＯＸ向け、ラウンジ向け、日中向け、夜間向け等の優先表示条件を設定しているに過ぎず、利用者の嗜好を的確に反映しているとは言い難い。
【００１０】
本発明は、上述した事情に鑑み提案されたもので、カラオケシステムを利用する利用者の嗜好を的確に反映して、容易かつ迅速に目的とする楽曲を探し出すことができる楽曲検索結果表示システムを提供することを目的とする。
【課題を解決するための手段】
【００１１】
本発明は、上述した目的を達成するため、以下の特徴を有している。すなわち、本発明の楽曲検索結果表示システムは、カラオケ楽曲を選曲予約する際の楽曲検索において、検索結果を所定の条件に従って優先的に表示するためのシステムであって、楽曲索引データベースと、楽曲検索手段と、演奏履歴管理手段と、優先表示順位付け手段と、検索結果表示制御手段とを備えたことを特徴とするものである。
【００１２】
楽曲索引データベースは、演奏対象となる各カラオケ楽曲について、楽曲検索において検索条件となる複数の属性情報を関連付けて構成したデータベースである。楽曲検索手段は、楽曲索引データベースを参照して、入力された検索条件となる属性情報に該当するカラオケ楽曲を検索するための手段である。演奏履歴管理手段は、既に演奏された所定曲数のカラオケ楽曲の演奏履歴情報を演奏履歴管理データベースにて管理するための手段である。優先表示順位付け手段は、演奏履歴情報として管理されたカラオケ楽曲の属性情報毎の演奏頻度を求め、当該属性情報毎の演奏頻度に基づいて優先表示条件となる各属性情報の順位付けを行うための手段である。検索結果表示制御手段は、順位付けにおいて第１順位となった属性情報を優先表示条件として、楽曲検索手段における検索結果の中から該当するカラオケ楽曲を優先的に表示するための手段である。
【００１３】
このような構成からなる楽曲検索結果表示システムでは、演奏対象となるカラオケ楽曲について、楽曲ＩＤ、曲名、歌手名（アーティスト名）、歌い出し部分の歌詞、流行時期、音楽ジャンル区分、デュエット曲か否か等の属性情報を紐付けして楽曲索引データベースが構築されている。選曲予約を行う利用者は、例えば、カラオケリモコン装置が備える楽曲検索手段（検索エンジン）の機能を用いて、検索条件（曲名、歌手名、流行時期、音楽ジャンル区分等の属性情報）を入力することにより、目的とするカラオケ楽曲を検索する。
【００１４】
一方、本発明の楽曲検索結果表示システムでは、既に演奏された所定曲数のカラオケ楽曲に関する情報を演奏履歴情報として記憶しておき、優先表示順位付け手段の機能により、演奏履歴情報にて管理されたカラオケ楽曲の属性情報毎の演奏頻度を求めて、優先表示条件の順位付けを行う。
【００１５】
ここで、例えば、音楽ジャンル区分「ＪＰＯＰ」であるカラオケ楽曲の演奏頻度が第１順位であり、流行時期「１９８０年代」を検索条件として検索が行われると、演奏頻度が第１順位である音楽ジャンル区分「ＪＰＯＰ」を優先表示条件として、該当するカラオケ楽曲を優先的に表示する。
【００１６】
また、楽曲検索手段における検索条件と、順位が上位である優先表示条件とが一致した場合には、当該優先表示条件とされた属性情報の次順位の属性情報を優先表示条件とすることが可能である。例えば、上述した例では、音楽ジャンル区分「ＪＰＯＰ」であるカラオケ楽曲の演奏頻度が第１順位であり、音楽ジャンル区分「ＪＰＯＰ」を検索条件として検索が行われた場合には、検索条件と優先表示条件が同一なものとなる。したがって、この場合には、演奏頻度が次順位（第２順位）の属性情報（例えば、流行時期「２０００年代」）を優先表示条件として、該当するカラオケ楽曲を優先的に表示する。
【発明の効果】
【００１８】
本発明の楽曲検索結果表示システムによれば、カラオケ楽曲を選曲予約する際の楽曲検索において、検索結果を所定の条件に従って優先的に表示することができる。この際、既に演奏された所定曲数のカラオケ楽曲の演奏履歴情報に基づいて、属性情報毎の演奏頻度を求め、当該演奏頻度に基づいて優先表示条件となる属性情報の順位付けを行い、高順位となった属性情報を優先表示条件として、該当するカラオケ楽曲を優先的に表示する。
【００１９】
したがって、所定期間内に演奏されたカラオケ楽曲の属性情報に基づいて、利用者の嗜好を的確に反映したきめ細かな優先表示条件により優先表示が行われるため、利用者は、容易かつ迅速に目的とする楽曲を探し出すことができる。
【００２０】
また、利用者が設定した検索条件と演奏頻度に基づいて決定した優先表示条件とが一致した場合には、当該優先表示条件とされた属性情報の次順位の属性情報を優先表示条件とすることにより、潜在的な嗜好を考慮した優先表示が行われるので、さらに一層、容易かつ迅速に目的とする楽曲を探し出すことができる。
【図面の簡単な説明】
【００２１】
【図１】本発明の実施形態に係る楽曲検索結果表示システムにおける各手段の機能を示す説明図。
【図２】本発明の実施形態に係る楽曲検索結果表示システムを適用したカラオケシステムの構成を示すブロック図。
【図３】本発明の実施形態に係る楽曲検索結果表示システムで用いる演奏履歴データベースの構成を示す説明図。
【図４】本発明の実施形態に係る楽曲検索結果表示システムで用いる楽曲索引データベースの構成を示す説明図。
【図５】本発明の実施形態に係る楽曲検索結果表示システムにおける検索結果表示例を示す模式図。
【発明を実施するための形態】
【００２２】
以下、図面を参照して、本発明の楽曲検索結果表示システムの実施形態について説明する。図１〜図５は本発明の実施形態に係る楽曲検索結果表示システムを示すもので、図１は楽曲検索結果表示システムにおける各手段の機能を示す説明図、図２は楽曲検索結果表示システムを適用したカラオケシステムのブロック図、図３は演奏履歴データベースの構成を示す説明図、図４は楽曲索引データベースの構成を示す説明図、図５は検索結果表示例を示す模式図である。
【００２３】
＜システムの概要＞
本発明の実施形態に係る楽曲検索結果表示システム１０は、図１及び図２に示すように、カラオケ楽曲を選曲予約する際の楽曲検索において、検索結果を所定の条件に従って優先的に表示するためのシステムであって、楽曲索引データベース２２ｂと、楽曲検索手段２２ａと、演奏履歴管理手段３７と、優先表示順位付け手段２２ｃと、検索結果表示制御手段２２ｄとを備えることにより、カラオケシステムを利用する利用者の嗜好を的確に反映して、容易かつ迅速に目的とする楽曲を探し出すことができるシステムである。
【００２４】
なお、本実施形態では、楽曲索引データベース２２ｂ、楽曲検索手段２２ａ、優先表示順位付け手段２２ｃ、検索結果表示制御手段２２ｄは、カラオケリモコン装置２２が備える機能手段として実現されるが、これらの手段の全部又は一部を他の装置（例えば、カラオケ本体２１、管理サーバ（図示せず）等）の機能手段として実現してもよい。また、演奏履歴管理手段３７、演奏履歴データベース３４ｃは、カラオケ本体２１の機能手段として実現されるが、これをカラオケリモコン装置２２の機能手段として実現してもよい。
【００２５】
以下の説明において、プログラムとは、ＲＡＭ等に記憶され、ＣＰＵ等のハードウェアで実行されることにより、その機能を発揮するソフトウエアだけではなく、同等の機能を発揮することが可能な論理回路も含む概念である。
【００２６】
＜カラオケシステム＞
本発明の実施形態に係る楽曲検索結果表示システム１０を適用するカラオケシステムは、図２に示すように、カラオケ本体２１、カラオケリモコン装置２２、スピーカ２３、マイクロホン２４、表示装置２５、ミキシングアンプ２６を備えている。
【００２７】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、優先表示順位付け手段２２ｃとして機能するプログラム、検索結果表示制御手段２２ｄとして機能するプログラム、データの送受信を行うための電子回路及びプログラム、タッチパネル式の入出力表示部２２ｅ、フラッシュメモリ等からなる記憶手段（図示せず）を備えている。このカラオケリモコン装置２２に付帯するスイッチ類や、入出力表示部２２ｅに表示される各種のアイコン等を操作することにより、選曲操作等の各種操作が行われる。
【００２８】
＜楽曲検索手段／楽曲索引データベース＞
楽曲検索手段２２ａは、利用者が指定した検索条件に基づき、楽曲索引データベース２２ｂを参照して楽曲を検索するためのプログラムからなる。楽曲索引データベース２２ｂは、カラオケシステムで演奏に供されるカラオケ楽曲について、その属性情報を記述したデータベースであり、例えば、図４に示すように、楽曲ＩＤ・曲名・歌手名・歌い出し部分の歌詞・流行時期・音楽ジャンル区分・デュエット曲か否かなど、種々の属性情報がこれに含まれている。なお、属性情報は、これらに限られず、カラオケ楽曲を分類することが可能な情報であれば、他のどのような情報を用いてもよい。
【００２９】
＜優先表示順位付け手段＞
優先表示順位付け手段２２ｃは、演奏履歴管理データベース３４ｃの演奏履歴情報にて管理されたカラオケ楽曲の属性情報毎の演奏頻度を求め、当該演奏頻度に基づいて優先表示条件となる属性情報の順位付けを行うためのプログラムからなる。
【００３０】
すなわち、優先表示順位付け手段２２ｃは、既に演奏が行われた所定曲数のカラオケ楽曲について、その演奏頻度に基づいて優先表示条件となる属性情報の順位付けを行う。例えば、既に演奏された５０曲のカラオケ楽曲を演奏履歴情報として演奏履歴データベース３４ｃにて管理し、楽曲ＩＤ、曲名、歌手名、流行時期、音楽ジャンル区分等の属性情報の演奏頻度を求める。なお、優先表示順位付けの対象となる楽曲数は、適宜変更して実施することができる。
【００３１】
ここで、音楽ジャンル区分「ＪＰＯＰ」であるカラオケ楽曲の演奏頻度が「２５」であり、流行時期「２０００年代」であるカラオケ楽曲の演奏頻度が「１８」であり、歌手名「△△」であるカラオケ楽曲の演奏頻度が「１０」であり、曲名「○○」であるカラオケ楽曲の演奏頻度が「５」であると仮定する。この場合には、音楽ジャンル区分「ＪＰＯＰ」が第１順位、流行時期「２０００年代」が第２順位、歌手名「△△」が第３順位、曲名「○○」が第４順位となる。
【００３２】
＜検索結果表示制御手段＞
検索結果表示制御手段２２ｄは、順位付けにおいて高順位となった属性情報を優先表示条件として、楽曲検索手段２２ａにおける検索結果の中から該当するカラオケ楽曲を優先的に表示するためのプログラムからなる。また、検索結果表示制御手段２２ｄの表示制御において、楽曲検索手段２２ａにおける検索条件と、決定された優先表示条件とが一致した場合には、当該優先表示条件とされた属性情報の次順位の属性情報を優先表示条件とすることができる。さらに、検索結果表示制御手段２２ｄで用いる優先表示条件は、最高順位の属性情報だけではなく、これに次順位の属性情報を組み合わせてもよい。
【００３３】
上述した例では、音楽ジャンル区分「ＪＰＯＰ」が第１順位であるため、流行時期「１９８０年代」を検索条件として検索が行われると、図５に示すように、音楽ジャンル区分「ＪＰＯＰ」を優先表示条件として、検索結果の中から該当するカラオケ楽曲を優先的に表示する。なお、本実施形態では、検索結果はカラオケリモコン装置２２の入出力表示部２２ｅに表示される。
【００３４】
また、楽曲検索手段２２ａにおける検索条件と、順位が上位である優先表示条件とが一致した場合には、当該優先表示条件とされた属性情報の次順位の属性情報を優先表示条件とすることが可能である。例えば、上述した順位付けが行われている場合に、音楽ジャンル区分「ＪＰＯＰ」を検索条件として検索が行われると、検索条件である属性情報と、演奏頻度が第１順位の属性情報とが同一となり、優先的な表示を行う意味がなくなる。そこで、演奏頻度が次順位（第２順位）の流行時期「２０００年代」を優先表示条件として、検索結果の中から該当するカラオケ楽曲を優先的に表示する。
【００３５】
また、検索結果表示制御手段２２ｄで用いる優先表示条件は、第１順位の属性情報だけではなく、これに次順位（第２順位）の属性情報を組み合わせてもよい。上述した例では、歌手名「＊＊」により検索が行われた場合に、第１順位である音楽ジャンル区分「ＪＰＯＰ」及び第２順位である流行時期「２０００年代」を優先表示条件として、検索結果の中から該当するカラオケ楽曲を優先的に表示する。これにより、音楽ジャンル区分が「ＪＰＯＰ」であり、かつ流行時期が「２０００年代」である楽曲が優先的に表示される。
【００３６】
＜マイクロホン＞
マイクロホン２４は、歌唱音声の入力を行うための装置である。マイクロホン２４から入力された歌唱音声信号は、ミキシングアンプ２６により、音楽再生制御手段３８から送出される演奏音声信号とミキシングされると共に増幅され、スピーカ２３へ出力される。なお、図示しないが、マイクロホン２４からの音声入力信号を、Ａ／Ｄコンバータによりデジタル変換して、歌唱採点手段における採点等に使用してもよい。
【００３７】
＜表示装置＞
表示装置２５は、カラオケ楽曲に関連した背景映像や歌詞テロップ等を表示するための装置で、例えば、液晶ディスプレイ等により構成される。
【００３８】
＜カラオケ本体＞
カラオケ本体２１は、中央制御手段３１、ＲＯＭ３２、ＲＡＭ３３、ＨＤＤ３４、送受信手段３５、予約管理手段３６、演奏履歴管理手段３７、音楽再生制御手段３８、映像再生制御手段３９を備えている。
【００３９】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００４０】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。なお、予約待ち行列３３ａは、選曲予約されたカラオケ楽曲について、演奏順に楽曲ＩＤを並べて構成されたデータテーブルであり、選曲者の利用者ＩＤ等、他のデータが紐付けられている場合もある。
【００４１】
＜ＨＤＤ＞
ＨＤＤ３４は、大容量記憶装置として機能するもので、楽曲データベース３４ａ、映像データベース３４ｂ、演奏履歴データベース３４ｃが格納されている。なお、ＨＤＤ３４に替えて、あるいはＨＤＤ３４と共に、データを書き替え可能なＤＶＤ等の大容量記憶装置を用いてもよい。
【００４２】
＜楽曲データベース／映像データベース＞
楽曲データベース３４ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００４３】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００４４】
＜予約管理手段＞
予約管理手段３６は、利用者により楽曲検索手段２２ａの機能を用いて選曲された楽曲ＩＤを演奏順に並べて予約待ち行列３３ａを生成し、この予約待ち行列３３ａをＲＡＭ３３に格納して管理するためのプログラムからなる。
【００４５】
＜演奏履歴管理手段＞
演奏履歴管理手段３７は、既に演奏された所定曲数のカラオケ楽曲の演奏履歴情報を演奏履歴データベース３４ｃにて管理するためのプログラムからなる。演奏履歴管理手段３７では、例えば、既に演奏された５０曲のカラオケ楽曲について、その楽曲ＩＤ等を演奏履歴データベース３４ｃに記憶して管理する。この、演奏履歴データベース３４ｃは、図３に示すように、楽曲ＩＤを基本情報とし、さらに、各カラオケ楽曲の属性情報を関連付けて構成したデータベースである。なお、演奏履歴データベース３４ｃにおいて必須のデータは、カラオケ楽曲を特定するための情報（楽曲ＩＤ）であり、歌手名、流行時期、音楽ジャンル区分、デュエット曲か否か等の属性情報は、楽曲索引データベース２２ｂから抽出する構成としてもよい。また、演奏履歴データベース３４ｃでは、構成データが常に更新され、予め定めた所定曲数のカラオケ楽曲について演奏履歴情報が管理される。
【００４６】
＜音楽再生制御手段＞
音楽再生制御手段３８は、楽曲ＩＤに基づいて演奏データから抽出された演奏制御データを用いて、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３８から送出される演奏音声信号とをミキシングすると共に、アンプ機能により増幅してスピーカ２３より出力させるための装置である。
【００４７】
＜映像再生制御手段＞
映像再生制御手段３９は、カラオケ楽曲の演奏中に、背景映像データと、演奏データに含まれる歌詞描出データとを、当該カラオケ楽曲の演奏データに同期させて表示装置２５に出力するためのプログラムからなる。
【００４８】
＜他の実施形態＞
本発明の楽曲検索結果表示システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ本体２１及びその付帯装置からなるカラオケ演奏装置を単体で動作させるのではなく、ホスト装置にネットワーク接続したカラオケ演奏端末として動作させてもよい。
【符号の説明】
【００４９】
１０  楽曲検索結果表示システム
２１  カラオケ本体
２２  カラオケリモコン装置
２２ａ  楽曲検索手段
２２ｂ  楽曲索引データベース
２２ｃ  優先表示順位付け手段
２２ｄ  検索結果表示制御手段
２２ｅ  入出力表示部
２３  スピーカ
２４  マイクロホン
２５  表示装置
２６  ミキシングアンプ
３１  中央制御手段
３２  ＲＯＭ
３３  ＲＡＭ
３３ａ  予約待ち行列
３４  ＨＤＤ
３４ａ  楽曲データベース
３４ｂ  映像データベース
３４ｃ  演奏履歴データベース
３５  送受信手段
３６  予約管理手段
３７  演奏履歴管理手段
３８  音楽再生制御手段
３９  映像再生制御手段
【図１】
0005855935.tif 000002
【図２】
0005855935.tif 000003
【図３】
0005855935.tif 000004
【図４】
0005855935.tif 000005
【図５】
0005855935.tif 000006